(57)【要約】【課題】  剥離紙を用いることなく、情報記入領域に記入された情報を隠蔽することができる構成を実現する。【解決手段】  情報記入片１と隠蔽片２とが折り畳み可能に連接し、情報記入片１上に印字あるいは記入された情報を隠蔽片２によって隠蔽する情報隠蔽シートであって、情報記入片１を、ベース基材１０上に、筆記性を具備し、粘着剤４０ａが塗布されてなる第１の貼着層を積層して構成し、隠蔽片２を、ベース基材１０上に、剥離可能及び再貼着不可能な構成を有する擬似接着層３０を積層し、この擬似接着層３０上に、粘着剤４０ａのみが貼着可能な粘着剤４０ｂが塗布されてなる第２の貼着層を積層して構成し、また、粘着剤４０ａを、粘着剤４０ｂのみが貼着可能なものとする。【選択図】図１
2006347106.tif 000002
【特許請求の範囲】
【請求項１】
第１のシートと第２のシートとが折り畳み可能に連接し、第１のシート上に付与された情報を第２のシートによって隠蔽する情報隠蔽シートであって、
前記第１のシートは、ベース基材上に、筆記性を具備する第１の貼着手段からなる第１の貼着層が積層され、
前記第２のシートは、前記ベース基材上に、剥離可能及び再貼着不可能な構成を有する擬似接着層が積層され、該擬似接着層上に、前記第１の貼着手段のみが貼着可能な第２の貼着手段からなる第２の貼着層が積層され、
前記第１の貼着手段は、前記第２の貼着手段のみが貼着可能である情報隠蔽シート。
【発明の詳細な説明】
【技術分野】
【０００１】
本発明は、紙片上の所定の領域に付与された情報を隠蔽することができる情報隠蔽シートに関する。
【背景技術】
【０００２】
従来より、情報を記入するための情報記入領域が設けられたはがきにおいて、情報記入領域に情報を記入した後に、この情報記入領域上に隠蔽片を剥離可能に貼着し、それにより、情報記入領域に記入された情報を隠蔽可能とするものが考えられている。このようなはがきの構造としては、例えば、隠蔽片の一方の面に、層間が剥離可能に重合した透明な接合材の両面に透明な粘着剤が塗布されてなる介在シートを貼付しておき、この介在シートによって情報記入領域上に隠蔽片を剥離可能に貼着する技術が考えられている（例えば、特許文献１参照。）。
【０００３】
このはがきを用いて情報を伝達する場合は、はがきの送付先に伝達したい情報を情報記入領域に記入した後、情報記入領域上に介在シートを介して隠蔽片を貼着し、その状態ではがきを送付先に送付する。これにより、はがきの送付途中においては、情報記入領域に記入された情報は隠蔽片によって覆われており、外部から見られてしまうことはない。また、このはがきが送付先に送付された後、はがきの送付先において隠蔽片を剥離すると、接合材の層間が剥離し、情報記入領域に記入された情報が接合材の一方の層を介して視認可能となり、それにより、情報記入領域に記入された情報がはがきの送付元から送付先に伝達されることになる。
【特許文献１】特開平１０−２６４５５９号公報
【発明の開示】
【発明が解決しようとする課題】
【０００４】
しかしながら、上述したように、層間が剥離可能に重合した透明な接合材の両面に透明な粘着剤が塗布されてなる介在シートを隠蔽片の一方の面に貼付しておくものにおいては、介在シートによって情報記入領域上に隠蔽片を貼着する前の状態では、介在シートのうち隠蔽片に貼付された面とは反対側の面に粘着剤によって剥離紙を剥離可能に貼付しておく必要があるため、その分のコストアップが生じてしまうとともに、剥離紙を剥離した後、この剥離紙によるごみが生じてしまうという問題点がある。
【０００５】
また、隠蔽片上に接着力が弱く剥離可能な粘着剤を塗布しておき、情報記入領域に情報を記入した後、この粘着剤によって隠蔽片を情報記入領域上に剥離可能に貼着するものにおいても、情報記入領域上に隠蔽片を貼着する前の状態では、隠蔽片の情報記入領域との貼着面に、粘着剤によって剥離紙を剥離可能に貼付しておく必要があるため、上述したものと同様の問題点が生じてしまう。
【０００６】
本発明は、上述したような従来の技術が有する問題点に鑑みてなされたものであって、剥離紙を用いることなく、情報記入領域に記入された情報を隠蔽することができる構成を実現できる情報隠蔽シートを提供することを目的とする。
【課題を解決するための手段】
【０００７】
上記目的を達成するために本発明は、
第１のシートと第２のシートとが折り畳み可能に連接し、第１のシート上に付与された情報を第２のシートによって隠蔽する情報隠蔽シートであって、
前記第１のシートは、ベース基材上に、筆記性を具備する第１の貼着手段からなる第１の貼着層が積層され、
前記第２のシートは、前記ベース基材上に、剥離可能及び再貼着不可能な構成を有する擬似接着層が積層され、該擬似接着層上に、前記第１の貼着手段のみが貼着可能な第２の貼着手段からなる第２の貼着層が積層され、
前記第１の貼着手段は、前記第２の貼着手段のみが貼着可能である。
【０００８】
上記のように構成された本発明においては、第１のシートのベース基材上に積層された第１の貼着層を構成する第１の貼着手段は筆記性を具備するので、第１のシート上に情報を付与することができる。また、この状態においては、第１のシートのベース基材上に積層された第１の貼着層を構成する第１の貼着手段は、第２のシートの擬似接着層上に積層された第２の貼着層を構成する第２の貼着手段のみが貼着可能であるため、第１のシート上には剥離紙を貼付しておく必要がない。また、第２のシートの擬似接着層上に積層された第２の貼着層を構成する第２の貼着手段についても、第１のシートのベース基材上に積層された第１の貼着層を構成する第１の貼着手段のみが貼着可能であるため、第２のシート上にも剥離紙を貼付しておく必要がない。第１のシート上に付与された情報を隠蔽する場合、ベース基材を、第１の貼着層と第２の貼着層とが対向するように折り畳み、第１の貼着層と第２の貼着層とを貼着させる。これにより、第１のシートに付与された情報が第２のシートによって隠蔽される。その後、第１のシートから第２のシートを剥離しようとすると、第２のシートの擬似接着層が剥離し、第１のシートに付与された情報が視認可能となる。
【発明の効果】
【０００９】
以上説明したように本発明においては、第１のシートのベース基材上に積層された第１の貼着層を構成する第１の貼着手段は筆記性を具備するので、第１のシート上に情報を付与することができる。また、第１のシートのベース基材上に積層された第１の貼着層を構成する第１の貼着手段が、第２のシートの擬似接着層上に積層された第２の貼着層を構成する第２の貼着手段のみが貼着可能であるため、第１のシート上には剥離紙を貼付しておく必要がなく、また、第２のシートの擬似接着層上に積層された第２の貼着層を構成する第２の貼着手段についても、第１のシートのベース基材上に積層された第１の貼着層を構成する第１の貼着手段のみが貼着可能であるため、第２のシート上にも剥離紙を貼付しておく必要がない。また、ベース基材を、第１の貼着層と第２の貼着層とが対向するように折り畳み、第１の貼着層と第２の貼着層とを貼着することにより、第１のシートに付与された情報を第２のシートによって隠蔽することができる。その後、第１のシートから第２のシートを剥離しようとすると、第２のシートの擬似接着層が剥離し、第１のシートに付与された情報を視認可能とすることができる。またこの際、情報が付与された第１の貼着層が、剥離した擬似接着層によって覆われているため、情報が記入された層を損傷等から保護することができる。
【発明を実施するための最良の形態】
【００１０】
以下に、本発明の実施の形態について図面を参照して説明する。
【００１１】
（第１の実施の形態）
図１は、本発明の情報隠蔽シートの第１の実施の形態を示す図であり、（ａ）は表面から見た図、（ｂ）は（ａ）に示したＡ−Ａ’断面図である。
【００１２】
本形態は図１に示すように、情報記入領域１ａが設けられた第１のシートである情報記入片１と、ミシン目３を介して情報記入片１に折り畳み及び切り離し可能に連接し、情報記入片１に貼着されることにより情報記入領域１ａに記入された情報を隠蔽する第２のシートである隠蔽片２とから構成されている。情報記入片１は、紙等からなるベース基材１０のミシン目３を介して折り畳まれた場合に隠蔽片２と対向する面の一部に、情報を印字あるいは記入するための情報記入領域１ａが設けられており、また、この情報記入領域１ａが設けられたベース基材１０上に第１の貼着手段である透明な粘着剤４０ａが塗布されることにより第１の貼着層が積層されている。また、隠蔽片２は、ベース基材１０上に擬似接着層３０が積層され、この擬似接着層３０上に第２の貼着手段である透明な粘着剤４０ｂが塗布されることにより第２の貼着層が積層されている。なお、擬似接着層３０は、ベース基材１０上に目止剤が塗布されることにより形成された目止層３１と、この目止層３１上に剥離剤が塗布されることにより形成された剥離層３２と、この剥離層３２上に透明なニスが塗布されることにより形成されたニス層３３とから構成されており、剥離層３２とニス層３３との境界面にて剥離可能及び再貼着不可能となっている。
【００１３】
ここで、粘着剤４０ａ，４０ｂについて詳細に説明する。
【００１４】
粘着剤４０ａ，４０ｂは、自己粘着性を有する高分子ポリマー等の同一の材料からなり、手で押し付ける等といった通常の圧力で自己のみが貼着可能なものである。すなわち、粘着剤４０ａは、粘着剤４０ｂのみが貼着可能なものであり、また、粘着剤４０ｂは粘着剤４０ａのみが貼着可能なものであり、それにより、情報記入片１の粘着剤４０ａが塗布された面は、隠蔽片２の粘着剤４０ｂが塗布された面とのみ貼着し、他の紙や樹脂とは貼着しない。また、隠蔽片２の粘着剤４０ｂが塗布された面についても、情報記入片１の粘着剤４０ａが塗布された面とのみ貼着し、他の紙や樹脂とは貼着しない。このように、粘着剤４０ａ，４０ｂとしては、常温、常圧において自着性を有し他着性を有さないものが挙げられる。この粘着剤４０ａ，４０ｂの一例としては、リカボンドＡＰ−２１７（中央理化製）が挙げられる。また、ベース基材１０上に粘着剤４０ａが塗布されてなる第１の貼着層は筆記性を有するため、ベース基材１０上に粘着剤４０ａが塗布されてなる情報記入片１の情報記入領域１ａには情報の印字や記入が可能となっている。
【００１５】
以下に、上記のように構成された情報隠蔽シートの使用方法について説明する。
【００１６】
まず、情報記入片１に設けられた情報記入領域１ａに、隠蔽すべき情報を印字あるいは記入する。なお、上述したように、ベース基材１０上に粘着剤４０ａが塗布されてなる第１の貼着層は筆記性を有するため、ベース基材１０上に粘着剤４０ａが塗布されてなる情報記入片１の情報記入領域１ａには情報を印字したり記入したりすることができる。また、この際、情報記入片１の粘着剤４０ａが塗布された面と隠蔽片２の粘着剤４０ｂが塗布された面とは、互いにのみ貼着し、他の紙や樹脂とは貼着しないため、粘着剤４０ａ，４０ｂを介して剥離紙を貼付しておく必要がない。このように情報記入領域１ａに情報を印字あるいは記入することにより、情報記入片１に情報を付与することになる。
【００１７】
次に、情報記入片１と隠蔽片２とを、情報記入領域１ａが内面となるようにミシン目３を介して折り畳み、粘着剤４０ａ，４０ｂによって互いに貼着する。
【００１８】
図２は、図１に示した情報記入片１と隠蔽片２とが貼着された状態を示す図であり、（ａ）は隠蔽片２側から見た図、（ｂ）は（ａ）に示したＡ−Ａ’断面図である。
【００１９】
図２に示すように、図１に示した情報隠蔽シートの情報記入片１と隠蔽片２とが貼着された状態においては、情報記入領域１ａに印字あるいは記入された情報は、隠蔽片２によって覆われているため、外部から視認不可能となる。
【００２０】
このように情報記入片１と隠蔽片２とが貼着された状態において、情報記入領域１ａに印字あるいは記入された情報の伝達先に、この情報隠蔽シートを送付することになる。この状態においては、情報記入領域１ａに印字あるいは記入された情報が隠蔽片２によって隠蔽されているため、情報隠蔽シートの送付途中において、情報記入領域１ａに記入された情報が見られてしまうことはない。なお、情報記入片１の情報記入領域１ａの裏面には、情報記入領域１ａに印字あるいは記入された情報の伝達先の住所や名称等といった宛先情報が印字あるいは記入されており、その宛先情報にしたがって情報隠蔽シートが送付されることになる。
【００２１】
その後、この情報隠蔽シートが送付先にて受け取られると、互いに貼着された情報記入片１と隠蔽片２とが剥離される。この際、隠蔽片２には、角部にベース基材１０から剥離層３２まで達する切り込み２ａが形成されているため、この切り込み２ａを利用して情報記入片１から隠蔽片２を容易に剥離することができる。
【００２２】
図３は、図１に示した情報記入片１と隠蔽片２とが貼着された後に剥離された状態を示す図であり、（ａ）は貼着されていた面を示す図であり、（ｂ）は（ａ）に示したＡ−Ａ’断面図である。
【００２３】
情報記入片１から隠蔽片２を剥離すると、擬似接着層３０が剥離層３２とニス層３３との境界面にて剥離可能な擬似接着構造であるため、図３に示すように、剥離層３２とニス層３３との境界面にて剥離し、それにより、ニス層３３が粘着剤４０ａ，４０ｂによって情報記入片１に貼着されたまま残存し、また、目止層３１及び剥離層３２が隠蔽片２とともに情報記入片１から剥離される。そして、ニス層３３及び粘着剤４０ａ，４０ｂが透明な材料から構成されているため、情報記入領域１ａに印字あるいは記入された情報４がニス層３３及び粘着剤４０ａ，４０ｂを介して外部から視認可能な状態となる。この際、情報４が記入された粘着剤４０ａは、粘着剤４０ｂを介してニス層３３によって覆われているため、外部から損傷等を受けにくくなる。なお、その後、情報記入片１と隠蔽片２とをミシン目３を介して切り離し、情報記入片１のみを保管しておくことが考えられる。
【００２４】
これにより、情報隠蔽シートの送付先に、情報記入領域１ａに記入された情報４を通知しながらも、情報隠蔽シートの送付途中において、情報記入領域１ａに記入された情報が見られてしまうことを防止することができる。
【００２５】
（第２の実施の形態）
図４は、本発明の情報隠蔽シートの第２の実施の形態を示す図であり、（ａ）は表面から見た図、（ｂ）は（ａ）に示したＡ−Ａ’断面図である。
【００２６】
本形態は図４に示すように、情報記入領域１０１ａが設けられた第１のシートである情報記入片１０１と、ミシン目１０３を介して情報記入片１０１に折り畳み及び切り離し可能に連接し、情報記入片１０１に貼着されることにより情報記入領域１０１ａに記入された情報を隠蔽する第２のシートである隠蔽片１０２とから構成されている。情報記入片１０１は、紙等からなるベース基材１１０のミシン目１０３を介して折り畳まれた場合に隠蔽片１０２と対向する面の一部に、情報を印字あるいは記入するための情報記入領域１０１ａが設けられており、また、この情報記入領域１０１ａが設けられたベース基材１１０上に第１の貼着手段である透明な粘着剤１４０ａが塗布されることにより第１の貼着層が積層されている。また、隠蔽片１０２は、ベース基材１１０上に接着力が強い粘着剤１２０によって擬似接着層１３０が積層、貼着され、この擬似接着層１３０上に第２の貼着手段である透明な粘着剤１４０ｂが塗布されることにより第２の貼着層が積層されている。なお、擬似接着層１３０は、ポリエチレンやポリエステル等の合成樹脂からなる２層の透明なフィルム基材１３１ａ，１３１ｂが、接着力が弱い紫外線硬化型接着剤等の粘着剤１３２によって互いに剥離可能及び再貼着不可能に貼着されて構成されている。また、粘着剤１４０ａ，１４０ｂについては、第１の実施の形態にて説明したようなものが用いられる。
【００２７】
以下に、上記のように構成された情報隠蔽シートの使用方法について説明する。
【００２８】
まず、情報記入片１０１に設けられた情報記入領域１０１ａに、隠蔽すべき情報を印字あるいは記入する。なお、第１の実施の形態にて説明したものと同様に、ベース基材１１０上に粘着剤１４０ａが塗布されてなる第１の貼着層は筆記性を有するため、ベース基材１１０上に粘着剤１４０ａが塗布されてなる情報記入片１０１の情報記入領域１０１ａには情報を印字したり記入したりすることができる。また、この際、情報記入片１０１の粘着剤１４０ａが塗布された面と隠蔽片１０２の粘着剤１４０ｂが塗布された面とは、互いにのみ貼着し、他の紙や樹脂とは貼着しないため、粘着剤１４０ａ，１４０ｂを介して剥離紙を貼付しておく必要がない。このように情報記入領域１０１ａに情報を印字あるいは記入することにより、情報記入片１０１に情報を付与することになる。
【００２９】
次に、情報記入片１０１と隠蔽片１０２とを、情報記入領域１０１ａが内面となるようにミシン目１０３を介して折り畳み、粘着剤１４０ａ，１４０ｂによって互いに貼着する。
【００３０】
図５は、図４に示した情報記入片１０１と隠蔽片１０２とが貼着された状態を示す図であり、（ａ）は隠蔽片１０２側から見た図、（ｂ）は（ａ）に示したＡ−Ａ’断面図である。
【００３１】
図５に示すように、図４に示した情報隠蔽シートの情報記入片１０１と隠蔽片１０２とが貼着された状態においては、情報記入領域１０１ａに印字あるいは記入された情報は、隠蔽片１０２によって覆われているため、外部から視認不可能となる。
【００３２】
このように情報記入片１０１と隠蔽片１０２とが貼着された状態において、情報記入領域１０１ａに印字あるいは記入された情報の伝達先に、この情報隠蔽シートを送付することになる。この状態においては、情報記入領域１０１ａに印字あるいは記入された情報が隠蔽片１０２によって隠蔽されているため、情報隠蔽シートの送付途中において、情報記入領域１０１ａに記入された情報が見られてしまうことはない。なお、情報記入片１０１の情報記入領域１０１ａの裏面には、情報記入領域１０１ａに印字あるいは記入された情報の伝達先の住所や名称等といった宛先情報が印字あるいは記入されており、その宛先情報にしたがって情報隠蔽シートが送付されることになる。
【００３３】
その後、この情報隠蔽シートが送付先にて受け取られると、互いに貼着された情報記入片１０１と隠蔽片１０２とが剥離される。この際、隠蔽片１０２には、角部にベース基材１１０からフィルム基材１３１ａまで達する切り込み１０２ａが形成されているため、この切り込み１０２ａを利用して情報記入片１０１から隠蔽片１０２を容易に剥離することができる。
【００３４】
図６は、図４に示した情報記入片１０１と隠蔽片１０２とが貼着された後に剥離された状態を示す図であり、（ａ）は貼着されていた面を示す図であり、（ｂ）は（ａ）に示したＡ−Ａ’断面図である。
【００３５】
情報記入片１０１から隠蔽片１０２を剥離すると、粘着剤１２０の接着力が強く、また、擬似接着層１３０を構成する２層のフィルム基材１３１ａ，１３１ｂが、接着力が弱い粘着剤１３２によって擬似接着されているため、図６に示すように、フィルム基材１３１ａとフィルム基材１３１ｂとが粘着剤１３２を介して剥離し、それにより、フィルム基材１３１ｂが粘着剤１４０ａ，１４０ｂによって情報記入片１０１に貼着されたまま残存し、また、フィルム基材１３１ａが粘着剤１２０によって隠蔽片１０２とともに情報記入片１０１から剥離される。そして、フィルム基材１３１ｂ及び粘着剤１４０ａ，１４０ｂが透明な材料からなるため、情報記入領域１０１ａに印字あるいは記入された情報１０４がフィルム基材１３１ｂ及び粘着剤１４０ａ，１４０ｂを介して外部から視認可能な状態となる。この際、情報１０４が記入された粘着剤１４０ａは、粘着剤１４０ｂを介してフィルム基材１３１ｂによって覆われているため、外部から損傷等を受けにくくなるとともに、情報１０４が改竄されてしまうことを防止することができる。なお、その後、情報記入片１０１と隠蔽片１０２とをミシン目１０３を介して切り離し、情報記入片１０１のみを保管しておくことが考えられる。
【００３６】
これにより、情報隠蔽シートの送付先に、情報記入領域１０１ａに記入された情報１０４を通知しながらも、情報隠蔽シートの送付途中において、情報記入領域１０１ａに記入された情報が見られてしまうことを防止することができる。
【００３７】
なお、上述した２つの実施の形態においては、粘着剤４０ａ，４０ｂ、及び粘着剤１４０ａ，１４０ｂをそれぞれ、自己粘着性を有する高分子ポリマー等の同一の材料からなるものとしたが、互いにのみ貼着可能であり、かつ、他の紙や樹脂等に貼着しないものであれば、同一材料のものでなくてもよい。例えば、溶剤の配合が互いに異なるものや他の混合物が混入しているもの等の類似な材料からなるものであってもよい。また、水とは混合しないポリマー粒子が、親水性と親油性を有する乳化剤が介在することにより安定的に共存したエマルジョンタイプのものであることが好ましい。
【図面の簡単な説明】
【００３８】
【図１】本発明の情報隠蔽シートの第１の実施の形態を示す図であり、（ａ）は表面から見た図、（ｂ）は（ａ）に示したＡ−Ａ’断面図である。
【図２】図１に示した情報記入片と隠蔽片とが貼着された状態を示す図であり、（ａ）は隠蔽片側から見た図、（ｂ）は（ａ）に示したＡ−Ａ’断面図である。
【図３】図１に示した情報記入片と隠蔽片とが貼着された後に剥離された状態を示す図であり、（ａ）は貼着されていた面を示す図であり、（ｂ）は（ａ）に示したＡ−Ａ’断面図である。
【図４】本発明の情報隠蔽シートの第２の実施の形態を示す図であり、（ａ）は表面から見た図、（ｂ）は（ａ）に示したＡ−Ａ’断面図である。
【図５】図４に示した情報記入片と隠蔽片とが貼着された状態を示す図であり、（ａ）は隠蔽片側から見た図、（ｂ）は（ａ）に示したＡ−Ａ’断面図である。
【図６】図４に示した情報記入片と隠蔽片とが貼着された後に剥離された状態を示す図であり、（ａ）は貼着されていた面を示す図であり、（ｂ）は（ａ）に示したＡ−Ａ’断面図である。
【符号の説明】
【００３９】
１，１０１    情報記入片
１ａ，１０１ａ    情報記入領域
２，１０２    隠蔽片
２ａ，１０２ａ切り込み
３，１０３    ミシン目
４，１０４    情報
１０，１１０    ベース基材
３０，１３０    擬似接着層
３１    目止層
３２    剥離層
３３    ニス層
４０ａ，４０ｂ，１２０，１３２，１４０ａ，１４０ｂ    粘着剤
１３１ａ，１３１ｂ    フィルム基材
【図１】
2006347106.tif 000003
【図２】
2006347106.tif 000004
【図３】
2006347106.tif 000005
【図４】
2006347106.tif 000006
【図５】
2006347106.tif 000007
【図６】
2006347106.tif 000008